(57)【要約】      （修正有）【課題】商品陳列具の部材の紛失が発生せず、かつ商品陳列具の左右幅を容易に可変とすることができる商品陳列具を提供する。【解決手段】商品サイズに合わせて、左側板１３と右側板１４のうち、少なくとも一方を外方向（底板の中央部分から離間する方向）へスライドさせて、商品陳列具１０を拡張または縮小する。このとき、このスライドする側板を、左右方向にスライド可能な嵌め込み構造によって、底板１１に分離不能に連結した。【選択図】図１
0003168885.tif 000002
【実用新案登録請求の範囲】
【請求項１】
矩形状の底板と、該底板の前辺に連結される前板と、前記底板の左辺に連結される左側板と、前記底板の右辺に連結される右側板とを備え、複数の商品を前後方向に並べて陳列する商品陳列具において、
前記左側板と前記右側板とのうち、少なくとも一方が、左右方向にスライド可能な嵌め込み構造によって、前記底板に分離不能に連結されたことを特徴とする商品陳列具。
【請求項２】
前記底板には、前記商品を後方から支持するスタンドプレートが、前後方向にスライド自在に設けられた請求項１に記載の商品陳列具。
【請求項３】
前記底板の上面には、前後方向へ長い複数のスライド用突条が、左右方向へ向かって互いに所定間隔をあけて形成された請求項１または２に記載の商品陳列具。
【請求項４】
前記複数のスライド用突条には、前後方向へ向かってそれぞれ所定ピッチで、商品掛止用スリットが形成された請求項３に記載の商品陳列具。
【考案の詳細な説明】
【技術分野】
【０００１】
本考案は、商品陳列具、詳しくは例えばパウチパック等の陳列商品を整然と陳列することができ、かつ陳列商品の取り出しが容易な商品陳列具に関する。
【背景技術】
【０００２】
サプリメント等のパウチパックを商品棚に縦列状態で陳列する際、商品陳列具が使用されている。従来の商品陳列具は、正面視したときの左右幅を、陳列商品の大きさによって調節可能にするため、凹凸の嵌め合い構造によって着脱可能な底板と、左側板と、右側板という３つの部材から構成していた（例えば「特許文献１」など）。この構造によって、商品陳列具の左右幅が２段階ないし３段階に調節可能となっている。
【０００３】
しかしながら、特許文献１の商品陳列具では、このように３つの部材から構成され、互いに容易に分離可能であったため、各部材が紛失する可能性があり、また商品陳列具の左右幅を調節する際に手間がかかっていた。
【先行技術文献】
【特許文献】
【０００４】
【特許文献１】特開２００３−３８３１１号公報
【考案の概要】
【考案が解決しようとする課題】
【０００５】
本考案は、上記問題点に鑑みてなされたもので、商品陳列具の部材の紛失が発生せず、かつ商品陳列具の左右幅を容易に可変とすることができる商品陳列具を提供することを目的としている。
【課題を解決するための手段】
【０００６】
本考案は、矩形状の底板と、該底板の前辺に連結される前板と、前記底板の左辺に連結される左側板と、前記底板の右辺に連結される右側板とを備え、複数の商品を前後方向に並べて陳列する商品陳列具において、前記左側板と前記右側板とのうち、少なくとも一方が、左右方向にスライド可能な嵌め込み構造によって、前記底板に分離不能に連結されたことを特徴とする商品陳列具である。
【０００７】
また、本考案の商品陳列具は、前記底板に、前記商品を後方から支持するスタンドプレートが、前後方向にスライド自在に設けられた商品陳列具である。
【０００８】
さらに、本考案の商品陳列具は、前記底板の上面に、前後方向へ長い複数のスライド用突条が、左右方向へ向かって互いに所定間隔をあけて形成された商品陳列具である。
さらにまた、本考案の商品陳列具は、前記複数のスライド用突条に、前後方向へ向かってそれぞれ所定ピッチで商品掛止用スリットが形成された商品陳列具である。
【０００９】
底板、前板、左側板、右側板の各素材としては、例えばポリスチレン、ＡＢＳ樹脂、ポリエチレン,ポリプロピレンなどのポリオレフィン、ポリエチレンテレフタレート（ＰＥＴ）,ポリブチレンテレフタレート（ＰＢＴ）などのポリエステル、ポリカーボネート、ナイロン６,ナイロン６，６などのポリアミド、ポリメチル（メタ）アクリレートなどのアクリル樹脂などの各種の合成樹脂のほか、アルミニウム合金、ステンレスなどの各種の金属を採用することができる。これらの構成部品は、互いに同一素材であっても、別素材でもよい。このうち、底板と前板とは同一素材で一体的に形成され、左側板と右側板とのうち、スライドしない側のものは、底板と同一素材で一体的に形成されるようにしてもよい。
左右方向にスライドするのは、左側板のみでも、右側板のみでもまたはこれらの両方でもよい。
商品としては、例えばサプリメント剤のパウチパックの他、袋状の各種の商品、各種のブリスターパック状の商品などを採用することができる。
商品の陳列数は任意である。２つまたは３つ以上でもよい。もちろん、単独でも陳列可能である。
【００１０】
「左右方向へのスライド可能な嵌め込み構造」としては、例えばスライド溝とこれに分離不能に装着されたスライダ部とからなるものを採用することができる。その他、ガイドレールとこれに分離不能に装着されたスライダ部などでもよい。
「スライド可能で、かつ分離不能な連結状態」とは、左側板と前記右側板とのうち、少なくとも一方が、左右方向へのスライドは自由に行えるが、底板から外そうとしても容易には分離することができない連結状態をいう。
【００１１】
スタンドプレートの素材は、前記底板、前板などの素材と同一のものを採用することができる。
スタンドプレートの形状は任意である。例えば、正面視して矩形状でも、正面視して団扇形状でもよい。底板に対するスタンドプレートのスライド構造は、左右の側板のスライド構造と同様のものを採用することができる。
底板の上面でのスライド用突条の形成数は任意である。例えば２本または３本以上の複数でもよい。
各スライド用突条に形成された商品掛止用スリットの形成数および形成ピッチは任意である。
【考案の効果】
【００１２】
請求項１に記載の本考案の商品陳列具によれば、大型の商品を陳列する場合には、左側板と右側板とのうち、少なくとも一方を外方向（底板の中央部から離間する方向）へスライドさせて、商品陳列具を拡張する。
このとき、このスライドする側板を、左右方向にスライド可能な嵌め込み構造によって、底板に分離不能に連結したので、商品陳列具の部材の紛失が発生せず、かつ商品陳列具の左右幅を容易に変更することができる。
【００１３】
特に、請求項２に記載の本考案の商品陳列具によれば、前後方向にスライド自在なスタンドプレートにより、商品を後方から支持するので、例えばサプリメントのパウチパックのような倒れ易い商品でも、多数の商品が並ぶ商品棚において、目立ち易い立ち上げ姿勢で陳列することができる。
【００１４】
また、請求項３に記載の本考案の商品陳列具によれば、底板の上面に、前後方向へ長い複数のスライド用突条を、左右方向へ向かって所定間隔をあけて形成したので、商品の前後方向への移動を円滑に行える。
【００１５】
さらに、請求項４に記載の本考案の商品陳列具によれば、複数のスライド用突条に、前後方向へ向かってそれぞれ所定ピッチで商品掛止用スリットを形成したので、パウチパックのような倒れ易い商品でも、前後方向へ向かう所定ピッチの立ち上げ姿勢で陳列することができる。
【図面の簡単な説明】
【００１６】
【図１】本考案の実施例１に係る商品陳列具の使用状態の斜視図である。
【図２】本考案の実施例１に係る商品陳列具の正面図である。
【図３】本考案の実施例１に係る商品陳列具の側面図である。
【図４】本考案の実施例１に係る商品陳列具の平面図である。
【図５】本考案の実施例１に係る商品陳列具の底板と右側板の契合部分の要部拡大断面図である。
【図６】本考案の実施例２に係る商品陳列具のスタンドプレートを省略した平面図である。
【考案を実施するための形態】
【００１７】
以下、図１〜図５を参照して、本考案の実施例１に係る商品陳列具を説明する。ここで、説明の都合上、文章中の前後方向（長さ方向）、左右方向（幅方向）および上下方向（高さ方向）は、図１に示された商品陳列具の使用状態の斜視図における方向をいう。
【００１８】
図１において、１０は本考案の実施例１に係る商品陳列具である。この商品陳列１０は、矩形状の底板１１と、底板１１の前辺に連結される前板１２と、底板１１の左辺に連結される左側板１３と、底板１１の右辺に連結される右側板１４と、底板１１において前後方向へスライド自在に設けられ、起立したパウチパックからなる商品Ａ(図２も参照)を後方から支持するスタンドプレート１５と、前板１２に掛止されて、商品Ａの値札シート１６が着脱自在に装着されるフェイスプレート１７とを備え、複数の商品Ａを前後方向に並べて陳列するケースである。各構成部品はＡＢＳ樹脂製で、前板１２および左右側板１３、１４の各下端部は、底板１１の下面より同一長さだけ下方に突出している。
【００１９】
以下、これらの構成部品を具体的に説明する。
底板１１は、前後方向へ長い平面視して矩形状の平板で、その前辺の全長にわたり前板１２が一体的に成形され、かつその左辺の全長にわたり左側板１３が一体的に成形されている。また、底板１１の左右方向の中間部には、前後方向の両端部を残して、その略全長にわたり長尺かつ幅広な１本の縦スライド溝１８が形成されている。縦スライド溝１８には、スタンドプレート１５が前後方向にスライド自在に取り付けられる。縦スライド溝１８の前端部には、スタンドプレート１５の下端部に形成された後述のスライダ部１９を縦スライド溝１８に着脱可能とするため、左右の溝壁を同一幅だけ平行に切欠して溝幅を大きくした矩形切欠部１８ａが連通されている。
【００２０】
また、底板１１の右端部には、前後方向の全長にわたって他の部分から一段下がった前後方向へ長い短冊形状の段差部２０が一体的に形成されている。段差部２０の前後方向の両端部には、左右方向へ延びた短幅な横スライド溝２１が離間して一対形成されている。両横スライド溝２１の左端部には、前後の溝壁を同一幅だけ平行に切欠して溝幅を大きくした別の矩形切欠部２１ａが連通されている。両横スライド溝２１および矩形切欠部１８ａの形成壁の下面には、補強用の環状肉盛部２２(図２参照)が一体形成されている。さらに、底板１１の段差部２０を除く部分の上面には、前後方向へ長く、かつ底板１１上での商品Ａの前後方向への移動をスムーズにする合計５本のスライド用突条２３が、左右方向へ向かって互いに所定間隔をあけて形成されている。
また、前記前板１２の左端部の内面には、上下方向に長い一対の突条２４が離間して形成されている(図３〜４参照)。
【００２１】
右側板１４の下辺部には、その全長にわたって前記段差部２０と同一形状で、かつこの段差部２０に重ね合わされる前後方向に長い短冊形状の横スライド板部２５が、右側板１４と同一素材で一体成形されている。横スライド板部２５の前辺部には、部分前板１２ａが横スライド板部２５と同一素材で一体成形されている。部分前板１２ａの厚さは、前記前板１２の一対の突条２４の厚さと同一である。また、横スライド板部２５の上面には、合計３本の前記スライド用突条２３が、左右方向へ所定間隔をあけて形成されている。
【００２２】
さらに、横スライド板部２５の長さ方向の両端部の裏面のうち、左辺部の近くには、前記一対の横スライド溝２１に対して、横スライド可能でかつ分離不能に連結される一対のスライドフック２６が垂設されている（図２参照）。スライドフック２６は、図５に示すように、胴部２６ａ（本体部）と、この胴部２６ａの先端に同一素材で一体成形され、かつ爪先が後方へ延びた爪部２６ｂとからなる。胴部２６ａの厚さは、横スライド溝２１の溝幅より若干短い。また、胴部２６ａの長さ（高さ）は、底板１１の厚さと前記環状肉盛部２２の厚さとを加算した値より若干長い。爪部２６ｂの前後方向の長さは、横スライド溝２１の溝幅より長くかつ前記別の矩形切欠部２１ａの前後方向の長さより若干短い。
【００２３】
段差部２０上に横スライド板部２５を装着する際には、まず両爪部２６ｂを別の矩形切欠部２１ａに挿入して、両爪部２６ｂを環状肉盛部２２より下方へ突出させ、この状態で、両胴部２６ａを若干後方向へ移動させて、胴部２６ａを横スライド溝２１に差し込む。別の矩形切欠部２１ａは、前述したように横スライド溝２１の左端部において、前後の溝壁を同一幅だけ平行に切欠して溝幅を大きくしたものである。そのため、横スライド板部２５の段差部２０上での横スライド時において、仮に別の矩形切欠部２１ａの位置にスライドフック２６が達した場合でも、スライドフック２６の爪部２６ｂが、環状肉盛部２２の後側の下縁に引っ掛かっているので、スライドフック２６が別の矩形切欠部２１ａから外れることはない。なお、スライドフック２６の横スライド溝２１からの離脱を完全に防止するため、胴部２６ａの下端部分に割ワッシャや割ピンを装着してもよい。
【００２４】
前記スタンドプレート１５は、正面視して略正方形で仮想の垂直面を基準として上端が若干後方へ向く後方傾斜姿勢となっている(図３参照)。また、スタンドプレート１５の下縁の長さ方向の中間部には、後方へ延びる平面視して矩形状のスライダ部１９が、スタンドプレート１５と同一素材で一体成形されている。スライダ部１９は、平面視して前記縦スライド溝１８の矩形切欠部１８ａと相似形で、かつこれより若干小サイズの矩形状を有している。具体的なスライダ部１９の構成は、スタンドプレート１５に直接連結され、縦スライド溝１８の溝幅より左右方向の長さが大幅に長い矩形ベース部１９ａと、縦スライド溝１８内に配置され、かつ左右方向の長さが縦スライド溝１８の溝幅より若干短くて底板１１の厚さより若干厚い矩形ネック部１９ｂと、縦スライド溝１８の溝幅より左右方向の長さが長い矩形裏当て部１９ｃとから構成されている(図３参照)。これらは、同一素材で一体成形されている。
スタンドプレート１５の裏面には、上方へ向かうほど両側部分の間隔が広がりながら幅狭となる背面視して略Ｖ字形状の補強リブ２７が、スタンドプレート１５と同一素材で一体成形されている。
【００２５】
矩形切欠部１８ａは、前述したように縦スライド溝１８の前端部において、左右の溝壁を同一幅だけ平行に切欠して溝幅を大きくしたものである。そのため、スタンドプレート１５の底板１１上での縦スライド時において、矩形裏当て部１９ｃのフランジが、縦スライド溝１８の左右側の形成壁に引っ掛かるので、スライドフック２６は外れない。ただし、スタンドプレート１５が矩形切欠部１８ａ内に正確に配置された場合には、縦スライド溝１８からスタンドプレート１５が外れるおそれがある。
【００２６】
前記フェイスプレート１７は、前板１２と略同じ長さを有し、かつ前板１２の前面に押し当てられる左右方向へ長い矩形状の基板部２８と、基板部２８の裏面の高さ方向の中間部において、その長さ方向の全長にわたって形成された板状フック部２９と、基板部２８の上縁にその全長にわたって元部が連結され、かつ矩形状の値札シート１６が装着される湾曲したフェイス板部３０と、基板部２８の上辺部にその全長にわたって前方へ突出して形成された上側掛止板片３１と、フェイス板部３０の下辺部にその全長にわたって前方へ折り返された幅広な下側掛止板片３２とを有している。
使用時には、上側掛止板片３１と下側掛止板片３２との間に値札シート１６を挟み込み、この状態で、板状フック部２９を、前板１２と部分前板１２ａと一対の突条２４との間に掛け渡した状態で掛止する。これにより、値札シート１６付きのフェイスプレート１７が、商品陳列具１０の前面に配置される。
【００２７】
次に、この考案の実施例１に係る商品陳列具１０の使用方法を説明する。
図１〜５に示すように、通常サイズのサプリメントのパウチパックからなる商品Ａを陳列する場合には、右側板１４を左方向へ押すことで、両スライドフック２６が、対応する横スライド溝２１内で左方向へスライドし、横スライド板部２５が底板１１の段差部２０をガイドにして左方向へスライドする。横スライド中は、各スライドフック２６の爪部２６ｂが環状肉盛部２２に掛止されるので、右側板１４が底板１１から外れることはない。また、横スライド後、仮に両スライドフック２６が正確に別の矩形切欠部２１ａ内に配置された場合でも、別の矩形切欠部２１ａが、横スライド溝２１の左端部における前後の溝壁を同一幅だけ平行に切欠して溝幅を大きくしたものであるため、スライドフック２６の爪部２６ｂが、環状肉盛部２２の後側の下縁に引っ掛かった状態となっている。その結果、スライドフック２６が別の矩形切欠部２１ａから外れることはない。
【００２８】
また、図１〜５に示すように、大判サイズの商品Ａを陳列する場合には、右側板１４を右方向へ引っ張ることで、両スライドフック２６が、対応する横スライド溝２１内で右方向へスライドし、横スライド板部２５が底板１１の段差部２０をガイドにして右方向へスライドする。これにより、商品陳列具１０が横方向へ拡張される。横スライド中は、各スライドフック２６の爪部２６ｂが環状肉盛部２２に掛止されるので、右側板１４が底板１１から外れることはない。
このようにして、商品陳列具１０の左右の長さ（横幅）を商品Ａに合わせて調整したのち、陳列棚において、スタンドプレート１５を利用して起立させた商品Ａを、底板１１上に縦列状態で並べて陳列する。
このとき、スライドする右側板１４を、左右方向にスライド可能な嵌め込み構造によって、底板１１に分離不能に連結したので、商品陳列具１０の部材の紛失が発生せず、かつ商品陳列具１０の左右幅を容易に変更することができる。
【００２９】
また、前後方向にスライド自在なスタンドプレート１５により、商品Ａを後方から支持するようにしたので、サプリメントのパウチパックのような倒れ易い商品Ａでも、多数の商品Ａが並ぶ陳列棚において、目立ち易い立ち上げ姿勢で陳列することができる。
【００３０】
以上の説明では、右側板がスライド可能でかつ分離不能な連結状態を有するものについて説明したが、左側板がスライド可能でかつ分離不能な連結状態を有するものもよく、さらに両側の側板ともスライド可能でかつ両方とも分離不能な連結状態を有するものであってもよい。
【００３１】
次に、本考案の実施例２について、図６を参照しながら説明する。
実施例２の商品陳列具１０Ａの特徴は、実施例１の前記各スライド用突条２３に代えて、多数の商品掛止用スリット２３ａが前後方向へ向かってそれぞれ同一ピッチで形成され複数のスライド用突条２３Ａを採用した点である。
このように、実施例２の複数のスライド用突条２３Ａは、実施例１のスライド用凸状２３に、前後方向へ向かってそれぞれ同一ピッチで商品掛止用スリット２３ａを形成したもので、パウチパックのような倒れ易い複数の商品Ａを、等間隔での立ち上げ姿勢で陳列することができる。
なお、商品掛止用スリット２３ａの形成は、所定ピッチであればよく、同一ピッチでなく任意のピッチであってもよい。
実例２の
【００３２】
なお、本発明の商品陳列具は、以上の実施例１〜２に限定されるものではなく、請求項１を具備する商品陳列具であればどのようなものでもよく、実施例１のスライド状凸条２３や、実施例２の商品掛止用スリット２３ａがなくてもよいし、実施例１のようなスライド状凸状が左右の水平方向のみに複数形成されたものでもよく、さらにはスライド状凸条が前後左右に形成されてマス目状になっていてもよい。
【産業上の利用可能性】
【００３３】
本考案は、サプリメント剤のパウチパックの他、各種の袋状の商品、各種のブリスターパック状の商品などの商品陳列具として有用である。
【符号の説明】
【００３４】
１０          商品陳列具
１１          底板
１２          前板
１３          左側板
１４          右側板
１５          スタンドプレート
２３，２３Ａ  スライド用突条
２３ａ        商品掛止用スリット
Ａ            商品
【図１】
0003168885.tif 000003
【図２】
0003168885.tif 000004
【図３】
0003168885.tif 000005
【図４】
0003168885.tif 000006
【図５】
0003168885.tif 000007
【図６】
0003168885.tif 000008